(57)【要約】  埋め込み情報の読取角度を判断しやすく工夫した情報記録体を提供する。  画像Ｃ１と、画像Ｃ１の上に形成される画像Ｃ２とを含む合成画像を具備した情報記録体３０は、画像Ｃ１と、画像Ｃ２とが、特定の規則によって生成された異なるパターン画像であり、それぞれ観察角度によって反射光量の異なるように構成され、合成画像は、観察角度によって画像Ｃ１及び画像Ｃ２のうち少なくとも一方の画像を認識可能であり、画像Ｃ２と同じ反射光量の材料を用いて形成された角度特定領域を有する。
2018173756.tif 000002
【特許請求の範囲】
【請求項１】
第１画像と、前記第１画像の上に形成される第２画像とを含む合成画像を具備した情報記録体であって、
前記第１画像と、前記第２画像とは、
特定の規則によって生成された異なるパターン画像であり、
それぞれ観察角度によって反射光量の異なるように構成され、
前記合成画像は、観察角度によって前記第１画像及び前記第２画像のうち少なくとも一方の画像を認識可能であり、
前記第２画像と同じ反射光量の材料を用いて形成された角度特定領域を有すること、
を特徴とする情報記録体。
【請求項２】
請求項１に記載の情報記録体において、
前記角度特定領域は、前記第２画像が形成された第２画像領域であり、
前記第２画像領域は、前記第１画像が形成された第１画像領域の一部に形成されていること、
を特徴とする情報記録体。
【請求項３】
請求項２に記載の情報記録体において、
前記第２画像領域が、絵柄を構成していること、
を特徴とする情報記録体。
【請求項４】
請求項１に記載の情報記録体において、
前記角度特定領域は、前記合成画像を有する領域とは異なる位置に設けられていること、
を特徴とする情報記録体。
【請求項５】
請求項１に記載の情報記録体において、
前記角度特定領域は、前記第２画像が形成された第２画像領域であり、前記第１画像が形成された第１画像領域から少なくとも一部がはみ出していること、
を特徴とする情報記録体。
【請求項６】
請求項１から請求項５までのいずれかに記載の情報記録体において、
前記第２画像は、前記規則に対応した変換処理をすることにより、コードに対応するデータが生成されるものであり、
前記第１画像は、前記規則に対応した変換処理をすることにより、前記第２画像に対応した前記コードを阻害するデータが生成されるものであること、
を特徴とする情報記録体。
【請求項７】
請求項１から請求項６までのいずれかに記載の情報記録体において、
前記第１画像は、明度の低い色要素で形成され、
前記第２画像は、前記第１画像の観察側に配置され、前記第１画像より明度の高い色要素で形成されたものであること、
を特徴とする情報記録体。
【請求項８】
請求項１から請求項７までのいずれかに記載の情報記録体において、
前記第１画像は、光輝材料で形成され、
前記第２画像は、透明素材で形成されること、
を特徴とする情報記録体。
【発明の詳細な説明】
【技術分野】
【０００１】
本発明は、情報記録体に関する。
【背景技術】
【０００２】
従来、画像等に特定の情報を埋め込む電子透かしの技術がある。この技術を印刷物に用いれば、人間が視覚で認識できないレベルで情報を埋め込むことができ、印刷物における美術的な効果を損なうことがない。また、印刷物に埋め込まれた情報は、読取装置で読み取ることができる。【０００３】
この埋め込まれた情報を、例えば、真贋判定に用いる場合には、複製物からは、埋め込まれた情報を推定されにくいものが望ましい。そのため、埋め込み情報を推定されにくいように工夫した情報記録体に関する技術が開示されている（例えば、特許文献１）。
【先行技術文献】
【特許文献】
【０００４】
【特許文献１】特開２０１６−９３８９５号公報
【発明の概要】
【発明が解決しようとする課題】
【０００５】
特許文献１に記載のものは、埋め込み情報をスマートフォン等のリーダをかざして読取角度を調整する必要があるが、読取角度を判断しづらかった。【０００６】
本発明は、埋め込み情報の読取角度を判断しやすく工夫した情報記録体を提供することを目的とする。
【課題を解決するための手段】
【０００７】
本発明は、以下のような解決手段により、前記課題を解決する。
第１の発明は、第１画像と、前記第１画像の上に形成される第２画像とを含む合成画像を具備した情報記録体であって、前記第１画像と、前記第２画像とは、特定の規則によって生成された異なるパターン画像であり、それぞれ観察角度によって反射光量の異なるように構成され、前記合成画像は、観察角度によって前記第１画像及び前記第２画像のうち少なくとも一方の画像を認識可能であり、前記第２画像と同じ反射光量の材料を用いて形成された角度特定領域を有すること、を特徴とする情報記録体である。
第２の発明は、第１の発明の情報記録体において、前記角度特定領域は、前記第２画像が形成された第２画像領域であり、前記第２画像領域は、前記第１画像が形成された第１画像領域の一部に形成されていること、を特徴とする情報記録体である。
第３の発明は、第２の発明の情報記録体において、前記第２画像領域が、絵柄を構成していること、を特徴とする情報記録体である。
第４の発明は、第１の発明の情報記録体において、前記角度特定領域は、前記合成画像を有する領域とは異なる位置に設けられていること、を特徴とする情報記録体である。
第５の発明は、第１の発明の情報記録体において、前記角度特定領域は、前記第２画像が形成された第２画像領域であり、前記第１画像が形成された第１画像領域から少なくとも一部がはみ出していること、を特徴とする情報記録体である。
第６の発明は、第１の発明から第５の発明までのいずれかの情報記録体において、前記第２画像は、前記規則に対応した変換処理をすることにより、コードに対応するデータが生成されるものであり、前記第１画像は、前記規則に対応した変換処理をすることにより、前記第２画像に対応した前記コードを阻害するデータが生成されるものであること、を特徴とする情報記録体である。
第７の発明は、第１の発明から第６の発明までのいずれかの情報記録体において、前記第１画像は、明度の低い色要素で形成され、前記第２画像は、前記第１画像の観察側に配置され、前記第１画像より明度の高い色要素で形成されたものであること、を特徴とする情報記録体である。
第８の発明は、第１の発明から第７の発明までのいずれかの情報記録体において、前記第１画像は、光輝材料で形成され、前記第２画像は、透明素材で形成されること、を特徴とする情報記録体である。
【発明の効果】
【０００８】
本発明によれば、埋め込み情報の読取角度を判断しやすく工夫した情報記録体を提供することができる。
【図面の簡単な説明】
【０００９】
【図１】本実施形態に係る印刷物を説明するための図である。
【図２】本実施形態に係る情報記録体のパターン画像の例を示す図である。
【図３】本実施形態に係る情報記録体のパターン画像の例を示す図である。
【図４】本実施形態に係る情報記録体の構造に基づく観察態様を説明するための図である。
【図５】本実施形態に係る印刷物のコピー時の照明光源とカメラとの位置関係を説明するための図である。
【図６】本実施形態に係る情報記録体の具体例を示す図である。
【図７】本実施形態に係る情報記録体の具体例を示す図である。
【図８】本実施形態に係る情報記録体の具体例を示す図である。
【図９】本実施形態に係る読取装置の機能ブロック図である。
【図１０】本実施形態に係る読取装置でのコード特定処理を示すフローチャートである。
【発明を実施するための形態】
【００１０】
以下、本発明を実施するための形態について、図を参照しながら説明する。なお、これは、あくまでも一例であって、本発明の技術的範囲はこれに限られるものではない。
（実施形態）
図１は、本実施形態に係る印刷物１０を説明するための図である。
＜印刷物１０＞
図１（Ａ）に示す印刷物１０は、例えば、入場券等のチケットである。印刷物１０は、例えば、それ自体に金銭的な価値を有するが、印刷物１０をコピーしたコピー品は、金銭的な価値を有さない。印刷物１０は、用紙１１と、情報記録体３０とを備える。
用紙１１は、印刷物１０の基礎となる基材であり、例えば、白色用紙から形成される。なお、用紙１１は、白色用紙に限らず、上質紙、コート紙、タック紙、プラスチックカード、フィルム等、印刷画像を担持できる平面を有していれば、他のものであってもよい。印刷画像は、この例では、チケットの内容に関するものである。
【００１１】
＜情報記録体３０の構造＞
用紙１１の表面側には、情報記録体３０を有する。情報記録体３０は、潜像印刷によって、例えば、コード等の真贋判定に用いる情報が印刷されたものである。情報記録体３０に印刷された画像は、用紙１１の観察方向を変えることで変わるものである。
図１（Ｂ）は、図１（Ａ）におけるＸ−Ｘ方向断面の部分模式図である。図１（Ｂ）に示すように、情報記録体３０は、用紙１１上に、光輝層３１（第１画像領域）と、透明層３２（第２画像領域、角度特定領域）とを含む合成画像を備える。合成画像は、光輝層３１と、透明層３２の少なくとも一部とを重ねた合成層による画像である。光輝層３１は、光輝性材料を含むインキによって、パターン画像（第１画像）が印刷された層である。また、透明層３２は、透明なインキによって、光輝層３１のパターン画像とは異なるパターン画像（第２画像）が印刷された層である。透明層３２は、光輝層３１の一部に形成される。この例では、光輝層３１と、透明層３２とは、正方形状であり、透明層３２は、光輝層３１よりひと回り小さい。つまり、合成画像は、光輝層３１のパターン画像と、透明層３２の少なくとも一部のパターン画像とを重ねたときの画像である。
【００１２】
ここで、情報記録体３０の製造方法を、簡単に説明する。
まず、予めチケットの内容を印刷済の用紙１１を用意し、用紙１１の上に光輝層３１として、光輝性材料を含む光沢インキ等で、パターン画像をグラビア印刷する。パターン画像を描く光輝性材料を含むインキは、例えば、アルミニウム粉末、銅粉末、亜鉛粉、錫粉、又はリン化鉄等を成分とする銀色、青味金色又は赤味金色を示す光輝性材料を含むインキである。
次に、この光輝層３１のパターン画像上に、透明層３２として、透明なインキ等で別のパターン画像を重ねてグラビア印刷する。このパターン画像を描くインキは、例えば、マットＯＰニス、透明ニス、インキワニス、透明インキ又はメジウムインキ等である。なお、これらのインキは、紫外線硬化型インキ、酸化重合型インキ、浸透型インキ、過熱乾燥型インキ、蒸発乾燥型インキ等のいずれの印刷インキであってもよい。
なお、上述した光輝層３１及び透明層３２に用いる材料は、一例であり、それぞれ観察角度によって反射光量の異なるものであれば、他の材料であってもよい。
【００１３】
ここで、塗布するインキの厚さは、いずれも、例えば、１マイクロメートル程度である。なお、インキの厚さは、これに限定するものではない。また、例えば、材料によって、インキの厚さを変えてもよい。
上述の印刷工程は、グラビア印刷に限らず、ウェットオフセット印刷、ドライオフセット印刷、凸版印刷、水無平版印刷、フレキソ印刷、スクリーン印刷及び凹版印刷等であってもよい。
【００１４】
次に、情報記録体３０の印刷工程で印刷される一定面積の印刷領域において、下地を隠蔽しうる面積を％で表した印刷条件を面積率とし、特に網点で下地を隠しうる場合を網点面積率として、光輝層３１及び透明層３２の印刷を説明する。
図２及び図３は、本実施形態に係る情報記録体３０のパターン画像の例を示す図である。
図４は、本実施形態に係る情報記録体３０の構造に基づく観察態様を説明するための図である。
【００１５】
図２（Ａ）は、光輝層３１の画像Ｃ１（第１画像）及びその一部である領域Ｅ１を拡大したものを示す。光輝層３１は、画像Ｃ１が印刷された層である。画像Ｃ１は、領域Ｅ１に示すように、前景部Ｃ１ａと、背景部Ｃ１ｂとを２値で表したパターン画像である。
前景部Ｃ１ａは、例えば、網点面積率１００％の印刷がされており、背景部Ｃ１ｂは、例えば、網点面積率７５％の印刷がされている。但し、この割合は、一例であって、これに限定されない。例えば、前景部Ｃ１ａの網点面積率が１００％未満であってもよく、また、背景部Ｃ１ｂの網点面積率が７５％以外であってもよい。その場合には、前景部Ｃ１ａと、背景部Ｃ１ｂとの網点面積率の差が１５％以上５０％以下になるようにするのが望ましい。また、前景部Ｃ１ａと、背景部Ｃ１ｂとの疎密が逆であってもよい。
【００１６】
図２（Ｂ）は、透明層の画像Ｃ２（第２画像）及びその一部である領域Ｅ２を拡大したものを示す。透明層３２は、画像Ｃ２が印刷された層である。画像Ｃ２は、領域Ｅ２に示すように、前景部Ｃ２ａと、背景部Ｃ２ｂとを２値で表したパターン画像である。
前景部Ｃ２ａは、例えば、網点面積率１００％の印刷がされており、背景部Ｃ２ｂは、例えば、網点面積率２５％の印刷がされている。但し、この割合も一例であって、これに限定されない。例えば、前景部Ｃ２ａの網点面積率は、１００％未満であってもよく、また、背景部Ｃ２ｂの網点面積率は、前景部Ｃ２ａとの間で所定の差があれば、網点面積率２５％以上であっても以下であってもよい。また、前景部Ｃ２ａと、背景部Ｃ２ｂとの疎密が逆であってもよい。
そして、前景部Ｃ２ａと背景部Ｃ２ｂとの疎密差は、前景部Ｃ１ａと背景部Ｃ１ｂとの疎密差よりも大きい。
このように、情報記録体３０の光輝層３１の画像Ｃ１と、透明層３２の画像Ｃ２とは、パターン画像であるので、人が一見しただけでは意味のない画像である。
【００１７】
ここで、情報記録体３０の光輝層３１及び透明層３２は、前景部及び背景部からなるパターン画像が印刷されているものに限定されない。
図３（Ａ）及び図３（Ｂ）は、光輝層３１の画像Ｃｘと、透明層３２の画像Ｃｙとが、前景部のみからなるパターン画像である場合を示す。この場合、画像Ｃｘ及び画像Ｃｙの印刷領域Ｃｘａ及びＣｙａを網点面積率１００％で印刷し、印刷領域Ｃｘａ及びＣｙａと、印刷しない非印刷領域Ｃｘｂ及びＣｙｂとによって、２値でパターン画像を表したものになる。
【００１８】
次に、図２及び図３に示されるパターン画像について説明する。
パターン画像は、特定の規則によって生成された画像である。パターン画像は、例えば、フーリエ変換を行うことで周波数変換した空間周波数領域に、特徴的な点や線を表すことができるものである。パターン画像に対して変換処理を行うことによって、例えば、特徴的な点を表すことができるものである場合、画像Ｃ１に対して変換処理をすることで表される点は、画像Ｃ２に対して同様の変換処理をすることで表される点を阻害する関係を有する。つまり、画像Ｃ２に対して変換処理をすることで表される点は、画像Ｃ１と画像Ｃ２とを含む合成画像に対して変換処理をすることで表される点では、再現できないものである。
ここで、特定の規則は、フーリエ変換に限定されるものではなく、他の変換処理であってもよい。例えば、バーコードに対する変換処理や、ＱＲコード（登録商標）等の二次元コードに対する変換処理等であってもよい。
【００１９】
上述の情報記録体３０は、観察する視点の角度（観察角度）によって、認識可能な画像が変化する。
図４は、拡散反射領域及び正反射（鏡面反射）領域での照明光源２１と、視点２２と、情報記録体３０との３つの位置関係を図示したものである。照明光源２１と情報記録体３０との位置に対して、位置Ｐ１に視点２２（２２ａ）があるとき、拡散反射領域で観察したことになる。また、照明光源２１と情報記録体３０との位置に対して、位置Ｐ２に視点２２（２２ｂ）があるとき、正反射領域で観察したことになる。
以下において、図２に示す画像Ｃ１及び画像Ｃ２を例に説明する。
【００２０】
情報記録体３０が光輝層３１のみからなる場合には、拡散反射領域においては、図２（Ａ）の画像Ｃ１の前景部Ｃ１ａと背景部Ｃ１ｂとの疎密差により反射光量に大きく差が生じるため、前景部Ｃ１ａと背景部Ｃ１ｂとが区別できる。他方、正反射領域においては、前景部Ｃ１ａと背景部Ｃ１ｂとが共に反射光量が大きくなるため、その差を感知できず、前景部Ｃ１ａと背景部Ｃ１ｂとは、区別できなくなる。
【００２１】
次に、情報記録体３０が透明層３２のみからなる場合には、拡散反射領域においては、図２（Ｂ）の前景部Ｃ２ａと背景部Ｃ２ｂとは、透明なため区別できない。他方、正反射領域においては、前景部Ｃ２ａと背景部Ｃ２ｂとの疎密差で反射光量が変わるため、前景部Ｃ２ａと背景部Ｃ２ｂとが区別できる。
そして、情報記録体３０が光輝層３１上に透明層３２が形成されたものである場合には、拡散反射領域においては、前景部Ｃ１ａと背景部Ｃ１ｂとが区別でき、前景部Ｃ２ａと背景部Ｃ２ｂとが区別できないため、全体としては、前景部Ｃ１ａと背景部Ｃ１ｂとが観察される。また、正反射領域においては、前景部Ｃ１ａと背景部Ｃ１ｂとは区別できないが、前景部Ｃ２ａと背景部Ｃ２ｂとが区別でき、全体として前景部Ｃ２ａと背景部Ｃ２ｂとが観察される。
【００２２】
このように、光輝層３１と、透明層３２とは、観察角度によって反射光量が異なる材料（インキ等）を用いることで、光輝層３１の画像と、透明層３２の画像とは、観察角度によって見えたり見えなかったり、と様々な見せ方をさせることができる。
そして、図１（Ｂ）に示すように、透明層３２は、光輝層３１よりひと回り小さい。つまり、情報記録体３０は、光輝層３１が設けられた部分と、透明層３２が設けられた部分との大きさが異なる。そのため、光輝層３１が観察されている状態と、透明層３２が観察されている状態とを判別しやすくなり、透明層３２が観察できる角度を、見た目で分かりやすいものにできる。また、透明層３２が有するパターン画像は、真贋判定に用いるものであるが、正反射領域以外では、光輝層３１が有するパターン画像の方が確認しやすい。そのため、透明層３２が有するパターン画像は、見た目には分かりづらい状態を維持できる。
【００２３】
＜印刷物１０の複製＞
次に、印刷物１０が複製された場合について説明する。
図５は、本実施形態に係る印刷物１０のコピー時の照明光源２１とカメラ２３との位置関係を説明するための図である。
図５（Ａ）及び図５（Ｂ）は、コピー機等の複製機の照明光源２１とカメラ２３と印刷物１０との位置関係を示す。印刷物１０の情報記録体３０は、図５（Ａ）又は図５（Ｂ）に示す照明光源２１から光が照射された状態で、カメラ２３によってその画像が取得される。
【００２４】
図５（Ａ）は、照明光源２１とカメラ２３とが情報記録体３０に対して垂直方向に位置して、カメラ２３が画像を取得する場合である。また、図５（Ｂ）は、照明光源２１が情報記録体３０に対してやや斜め方向から照射し、カメラ２３が情報記録体３０に対して垂直方向から撮影して画像を取得する場合である。いずれの場合においても、カメラ２３には、照明光源２１と情報記録体３０との位置関係によって、情報記録体３０の光輝層３１と透明層３２との両方の画像が捉えられる。
このようにして、カメラ２３が得た画像をもとに、複製機では、印刷物１０のコピー品が作製される。
【００２５】
そして、コピー品は、印刷物１０の情報記録体３０（図１（Ａ）参照）に対応する位置に、印刷体を有するものになる。印刷体には、情報記録体３０の光輝層３１が有するパターン画像と、透明層３２が有するパターン画像との合成画像を有する。また、印刷体は、一般的なカーボンを含む黒色インキからなる層を有する。よって、印刷体をいずれの領域（拡散反射領域、正反射領域等）からの観察角度で観察した場合であっても、印刷体は、合成画像のみが見えるものになる。よって、印刷体は、透明層３２が有するパターン画像のみを観察できないものになる。
【００２６】
次に、情報記録体３０の具体例を説明する。
図６から図８までは、本実施形態に係る情報記録体３０の具体例を示す図である。
図６は、情報記録体３０が、用紙１１上に、光輝層３１と、透明層３２とによって構成されたものである。そして、図６（Ａ）に示すように、透明層３２は、絵柄を表す。この例では、透明層３２は、星の絵柄を表している。
図６（Ｂ）は、図６（Ａ）におけるＸ１−Ｘ１方向断面の部分模式図である。図６（Ｂ）に示すように、透明層３２は、光輝層３１の一部に形成される。
このように、情報記録体３０は、光輝層３１が形成された領域と、透明層３２が形成された領域とが、平面視で一致せず、大きさ及び形状が異なる。また、透明層３２が形成された領域は、絵柄を構成している。そのため、光輝層３１が観察されている状態と、透明層３２が観察されている状態とが判別しやすくなり、透明層３２が観察できる角度を、見た目で分かりやすいものにできる。
しかも、透明層３２によって表されるパターン画像を星の絵柄にすることで、正反射領域から観察すれば、星の絵柄が観察できる。そのため、絵柄によって、正反射領域であることを、より分かりやすくできる。
【００２７】
図７は、情報記録体３０が、用紙１１上に、光輝層３１と、透明層３２とによって構成されたものである。そして、図７（Ａ）に示すように、透明層３２が、光輝層３１の一部に重なると共に、用紙１１上に一部がはみ出した状態になっている。
図７（Ｂ）は、図７（Ａ）におけるＸ２−Ｘ２方向断面の部分模式図である。図７（Ｂ）に示すように、情報記録体３０は、光輝層３１が形成された領域と、透明層３２が形成された領域とが、平面視で一致せず、大きさ及び位置が異なる。そのため、光輝層３１が観察されている状態と、透明層３２が観察されている状態とが判別しやすくなり、透明層３２が観察できる角度を、見た目で分かりやすいものにできる。
【００２８】
図８は、情報記録体３０が、用紙１１上に、光輝層３１と、透明層３２と、透明層３３（角度特定領域）とによって構成されたものである。
図８（Ａ）に示すように、透明層３３は、光輝層及び透明層３２とは異なる位置に設けられている。透明層３３は、透明なインキによって、例えば、網点面積率１００％でベタ刷りがされており、ベタ画像が印刷された層である。透明層３３は、正反射領域において、観察可能にするためのものであるため、透明層３３の形状は、どのようなものであってもよく、パターン画像が印刷されている必要はない。
図８（Ｂ）は、図８（Ａ）におけるＸ３−Ｘ３方向断面の部分模式図である。図８（Ｂ）に示すように、光輝層３１と、透明層３２とは同じ大きさであり、透明層３２は、光輝層３１に重なって形成される。
このように、透明層３３を、光輝層３１及び透明層３２からなる合成画像とは異なる位置に設けることで、正反射領域で観察した場合に、透明層３３を観察できるため、正反射領域を分かりやすいものにできる。
しかも、光輝層３１及び透明層３２が、同じ大きさで重なっているので、正反射領域においても透明層３２を観察しにくくする効果がある。そのため、情報記録体３０の透明層３２に真贋情報が入っていることを知られることを防止でき、秘匿性にも優れたものにできる。
【００２９】
＜読取装置５＞
次に、印刷物１０の情報記録体３０からコードを読み取る読取装置５について説明する。
図９は、本実施形態に係る読取装置５の機能ブロック図である。
読取装置５は、例えば、スマートフォンに代表される携帯端末である。
読取装置５は、制御部５０と、記憶部６０と、読取部６５と、タッチパネルディスプレイ６７と、通信インタフェース部６９とを備える。
制御部５０は、読取装置５の全体を制御するＣＰＵ（中央処理装置）である。制御部５０は、記憶部６０に記憶されているＯＳ（オペレーティングシステム）やアプリケーションプログラムを適宜読み出して実行することにより、上述したハードウェアと協働し、各種機能を実行する。
制御部５０は、画像受付部５１と、認識部５２と、アプリ取得部５３と、変換部５４と、コード特定部５５とを備える。
【００３０】
画像受付部５１は、情報記録体３０を読取部６５が読み取ることで、読取部６５を介して情報記録体３０の画像データを受け付ける。
認識部５２は、画像受付部５１が受け付けた画像データに、形状テーブル６２に記憶された特定形状を含むか否かを確認する。
アプリ取得部５３は、認識部５２により特定形状を認識した場合に、通信インタフェース部５９を介して種々のアプリケーションプログラムを記憶したアプリ配信サーバ（図示せず）に接続し、変換アプリ６１ｂを取得する。そして、アプリ取得部５３は、取得した変換アプリ６１ｂを、後述するプログラム記憶部６１に記憶する。
変換部５４は、後述する制御プログラム６１ａ又は取得した変換アプリ６１ｂを用いて、画像受付部５１が受け付けた画像データに対して所定の変換を行い、コード生成のためのデータを取得する。
コード特定部５５は、コードテーブル６３を参照して、変換部５４により取得されたデータからコードを特定する。
【００３１】
記憶部６０は、制御部５０が各種の処理を実行するために必要なプログラム、データ等を記憶するためのハードディスク、半導体メモリ素子等の記憶領域である。
なお、コンピュータとは、制御部、記憶装置等を備えた情報処理装置をいい、読取装置５は、制御部５０、記憶部６０等を備えた情報処理装置であり、コンピュータの概念に含まれる。
記憶部６０は、プログラム記憶部６１と、形状テーブル６２と、コードテーブル６３とを記憶している。
プログラム記憶部６１は、各種のプログラムを記憶する記憶領域である。プログラム記憶部６１は、制御プログラム６１ａと、変換アプリ６１ｂとを記憶する。制御プログラム６１ａは、制御部５０の各機能を実行するためのプログラムである。変換アプリ６１ｂは、コードを読み取るための特定形状に対応した専用アプリである。変換アプリ６１ｂは、アプリ配信サーバからダウンロードした際に、プログラム記憶部６１に記憶される。
形状テーブル６２は、予め決められた透明層３２により観察可能な形状と、アプリ配信サーバのＵＲＬ（Ｕｎｉｆｏｒｍ  Ｒｅｓｏｕｒｃｅ  Ｌｏｃａｔｏｒ）とを対応付けて記憶するテーブルである。
コードテーブル６３は、コードを記憶したテーブルである。
【００３２】
読取部６５は、例えば、カメラであって、画像や文字等の印刷内容を画像として取得する装置である。
タッチパネルディスプレイ６７は、液晶パネル等で構成される表示部としての機能と、ユーザの指等によるタッチ入力を検出する入力部としての機能とを有する。
通信インタフェース部６９は、例えば、配信サーバ等との間で通信を行うためのインタフェースである。
【００３３】
＜読取装置５の処理＞
次に、読取装置５の処理について説明する。
図１０は、本実施形態に係る読取装置５でのコード特定処理を示すフローチャートである。
ステップＳ（以下、単に「Ｓ」という。）１０において、読取装置５の制御部５０は、読取部６５を起動させる。
Ｓ１１において、制御部５０（画像受付部５１）は、読取部６５を介して画像を読み取る。
ここで、ユーザは、読取部６５を、情報記録体３０の透明層３２が有するパターン画像のみを読取可能な角度から、画像を読み取ることができる。また、ユーザは、読取部６５を、情報記録体３０の光輝層３１が有するパターン画像のみを読取可能な角度から、画像を読み取ることができる。さらに、ユーザは、読取部６５を、情報記録体３０の光輝層３１及び透明層３２の両方が有するパターン画像を読取可能な角度から、画像を読み取ることができる。
ユーザは、透明層３２が有するパターン画像のみを読取可能な角度から、画像を読み取るために、透明層３２（又は透明層３３）が視認可能な正反射領域を特定して、画像を読み取るための操作を行う。
【００３４】
Ｓ１２において、制御部５０（認識部５２）は、読み取った画像の形状が、形状テーブル６２に記憶された特定形状に含まれるか否かを判断する。特定形状に含まれる場合（Ｓ１２：ＹＥＳ）には、制御部５０は、処理をＳ１３に移す。他方、特定形状に含まれない場合（Ｓ１２：ＮＯ）には、制御部５０は、処理をＳ１４に移す。特定形状に含まれない場合には、例えば、図８に示すような、光輝層３１と透明層３２とが重なり合っている場合等が該当する。
Ｓ１３において、制御部５０は、形状テーブル６２を参照して、特定形状に対応するＵＲＬに接続する。そして、制御部５０（アプリ取得部５３）は、アプリ配信サーバから変換アプリ６１ｂを取得し、実行する。
【００３５】
Ｓ１４において、制御部５０（変換部５４）は、読み取った画像に対して変換処理を行い、コード生成のためのデータを取得する。ここで、変換処理は、制御プログラム６１ａ又は変換アプリ６１ｂにより実行される。
Ｓ１５において、制御部５０（コード特定部５５）は、コードテーブル６３を参照して、取得したデータに対応するコードが特定できたか否かを判断する。コードテーブル６３に取得したデータに一致するものがある場合には、コードが特定できる。コードが特定できた場合（Ｓ１５：ＹＥＳ）には、制御部５０は、処理をＳ１６に移す。他方、コードが特定できなかった場合（Ｓ１５：ＮＯ）には、制御部５０は、処理をＳ１６ａに移す。
Ｓ１６において、制御部５０は、コードを特定できた旨を、タッチパネルディスプレイ６７に表示させる。その後、制御部５０は、本処理を終了する。なお、本処理を終了後、制御部５０は、特定したコードに基づく処理を行う。
他方、Ｓ１６ａにおいて、制御部５０は、エラーである旨を、タッチパネルディスプレイ６７に表示させる。その後、制御部５０は、本処理を終了する。
【００３６】
ここで、透明層３２のパターン画像のみを読取可能な角度から読取部６５が画像を読み取った場合には、制御部５０は、透明層３２のパターン画像のみを得る。そして、透明層３２のパターン画像が特定形状である場合には（Ｓ１２：ＹＥＳ）、特定形状に対応した変換アプリ６１ｂを実行して、コード生成のためのデータを取得する（Ｓ１４）。ここで、透明層３２のパターン画像に対応するコードは、コードテーブル６３に記憶されているので、制御部５０は、コードが特定できる（Ｓ１５：ＹＥＳ）。
また、透明層３２のパターン画像が特定形状ではない場合には（Ｓ１２：ＮＯ）、制御プログラム６１ａにより、コード生成のためのデータを取得する（Ｓ１４）。ここで、透明層３２のパターン画像に対応するコードは、コードテーブル６３に記憶されているので、制御部５０は、コードが特定できる（Ｓ１５：ＹＥＳ）。
【００３７】
他方、透明層３２と、光輝層３１との両方のパターン画像を読取可能な角度から読取部６５が画像を読み取った場合には、制御部５０は、透明層３２のパターン画像のみを得ることがない。コードテーブル６３には、透明層３２のパターン画像に対応するコードのみが記憶されており、例えば、透明層３２と光輝層３１との両方のパターン画像に対応するコードは、記憶されていない。つまり、透明層３２のパターン画像に光輝層３１のパターン画像が合成されることで、光輝層３１のパターン画像が、透明層３２のパターン画像から得られるコードの特定を阻害している。このように、光輝層３１のパターン画像に対応するコード生成のためのデータは、透明層３２のパターン画像から得られるコードを特定できないように阻害するデータである。よって、制御部５０は、制御プログラム６１ａにより、コード生成のためのデータを取得しても（Ｓ１４）、コードを特定できない（Ｓ１５：ＮＯ）。
なお、光輝層３１のパターン画像のみを読取可能な角度や、透明層３２及び光輝層３１の両方のパターン画像を読取可能な角度から読取部６５が画像を読み取った場合には、制御部５０は、読み取った画像に形状テーブル６２に記憶された特定形状を含まないと判断する（Ｓ１２：ＮＯ）。よって、制御部５０は、制御プログラム６１ａにより、コード生成のためのデータを取得する処理を行う（Ｓ１４）。
【００３８】
このように、本実施形態によれば、以下のような効果がある。
（１）情報記録体３０は、透明層３２を、光輝層３１の一部に形成するようにしたので、透明層３２の画像Ｃ２を観察しやすくできる。そして、透明層３２の画像Ｃ２を観察できるのは、正反射領域で観察した場合である。よって、透明層３２の画像Ｃ２を観察できる観察角度で画像を読み取れば、変換処理によってコードを読み取ることができる。
（２）透明層３２を、絵柄を構成するようにすることで、見た目でより分かりやすいものにできる。
【００３９】
（３）情報記録体３０は、光輝層３１上に同じ大きさで重ねて透明層３２を形成して合成画像にした場合には、合成画像とは異なる位置に透明層３３を有するようにすることで、透明層３３の画像を観察しやすくできる。また、合成画像の透明層３２は、光輝層３１上にあって、同じ大きさのため、見た目で分かりにくくでき、情報が入っていることを周囲に知られずに済む。
【００４０】
（４）画像Ｃ１は、光輝層３１に有し、画像Ｃ２は、透明層３２が有するものであるので、情報記録体３０の観察角度によって、画像Ｃ１と、画像Ｃ２とを切り替えて観察できる。そして、光輝層３１は、光輝性材料を含む光沢インキ等で作製でき、透明層３２は、透明なインキ等で作製できるので、切り替えられる印刷が安価にできる。
【００４１】
（５）読取装置５によって、画像Ｃ２のみが見える観察角度で情報記録体３０を読み取ることで、読取装置５は、画像Ｃ２を変換処理して取得したデータからコードを読み取ることができる。また、読取装置５は、画像Ｃ１と画像Ｃ２とからなる合成画像のみを観察可能なコピー品の印刷体を読み取った場合には、画像Ｃ１には、画像Ｃ２に対応するコードの特定を阻害するデータを生成するものであるので、合成画像を変換処理して取得したデータからコードを読み取れないようにできる。
（６）画像Ｃ２が特定形状を形成している場合には、特定形状に対応する変換アプリ６１ｂを取得して変換処理を行うことができる。よって、形状ごとに異なる変換アプリ６１ｂを用いて変換処理を行わせることができる。
【００４２】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４３】
（変形形態）
（１）本実施形態では、光輝層３１を正方形状であるものとして説明したが、これに限定されない。光輝層３１は、長方形状や、円形状、楕円形上等、他の形状であってもよい。また、透明層３２が形成する形状を、星の絵柄として説明したが、ハートの絵柄や、三角形等、他の形状や絵柄であってもよい。また、透明層３２が形成する形状を、ＱＲコード等にしてもよい。
（２）本実施形態では、光輝層３１及び透明層３２からなる情報記録体３０を例に説明した。しかし、これに限定されない。各パターン画像が、光輝材料と、透明材料とから形成されていればよく、層に印刷されていなくてもよい。また、コードを埋め込むパターン画像の印刷を、明度の高い色要素で構成し、埋め込んだコードの特定を阻害するパターン画像の印刷を、明度の低い色要素で構成したものであってもよい。
【００４４】
（３）本実施形態では、光輝層３１の上に、直接透明層３２を形成したものを例に説明したが、これに限定されない。例えば、光輝層３１と、透明層３２との間に透明フィルムのような基材を有するものであってもよい。また、例えば、本実施形態で説明した光輝層３１の上に透明層３２を形成したものに対して、さらに、透明層３２の上に、透明フィルムのような基材を有するものであってもよい。このように透明フィルムのような基材を有することによって、透明フィルムの下の層である光輝層３１の部分が削られにくくなる。
【００４５】
（４）本実施形態では、パターン画像を印刷するものを例に説明したが、これに限定されない。転写や、レーザ描画等の印刷以外の手法で、パターン画像を形成するものであってもよい。
（５）本実施形態では、情報記録体３０を有する印刷物１０を、チケットを例に説明したが、これに限定されない。例えば、ゲームで使用するカード類や、セキュリティ保護のラベル等であってもよい。また、情報記録体３０を、電子透かしに用いてもよい。
【００４６】
（６）本実施形態では、読取装置を、携帯端末を例に説明したが、これに限定されない。例えば、パーソナルコンピュータであってもよい。そして、読取部は、スキャナ等であってもよい。
（７）本実施形態では、読取装置による処理を、読み取った画像の形状が、形状テーブルに記憶された特定形状に含まれるか否かによって判別し、特定形状に対応した変換アプリを用いて変換するものを例に説明したが、これに限定されない。例えば、透明層が絵柄を形成している場合には、読み取った画像の形状が、形状テーブルに記憶された特定形状に含まれる場合に、変換処理を行うようにし、読み取った画像の形状が、形状テーブルに記憶された特定形状に含まれない場合に、変換処理を行わないようにしてもよい。また、画像を読み取ったら、変換処理を一律に行うようにしてもよい。
【符号の説明】
【００４７】
５      読取装置
１０    印刷物
２１    照明光源
２３    カメラ
３０    情報記録体
３１    光輝層
３２，３３  透明層
５０    制御部
６０    記憶部
６１ａ  制御プログラム
６１ｂ  変換アプリ
６２    形状テーブル
６３    コードテーブル
６５    読取部
Ｃ１，Ｃ２，Ｃｘ，Ｃｙ  画像
【図１】
2018173756.tif 000003
【図２】
2018173756.tif 000004
【図３】
2018173756.tif 000005
【図４】
2018173756.tif 000006
【図５】
2018173756.tif 000007
【図６】
2018173756.tif 000008
【図７】
2018173756.tif 000009
【図８】
2018173756.tif 000010
【図９】
2018173756.tif 000011
【図１０】
2018173756.tif 000012
【国際調査報告】
2018173756.tif 000013
2018173756.tif 000014
2018173756.tif 000015